(57)【要約】【課題】子供から大人に至るまで幅広い年齢層で楽しむことが可能になり、しかも、箱庭を通して日本庭園の造形美や精神を学ぶことができる箱庭玩具菓子を提供する。【解決手段】上部が開口した箱体で箱庭本体１０を形成する。該箱庭本体１０内に載置する形象物２０を設ける。該形象物２０を食品素材で形成する。砂を模した形象物２０の表面をならすレーキを備える。岩を模す岩材２１を設ける。石を模す石材２２を設ける。砂を模す砂材２３を設ける。砂材２３の表面にレーキで砂紋２３Ａを形成するように構成する。形象物２０で日本庭園を模した箱庭を構成する。【選択図】図１
0003223210.tif 000002
【実用新案登録請求の範囲】
【請求項１】
上部が開口した箱体で形成された箱庭本体と、該箱庭本体内に載置する岩、石、砂を模した形象物と、砂を模した形象物の表面をならすレーキとを備え、該形象物を食品素材で形成し、該形象物で日本庭園を模した箱庭を構成することを特徴とする箱庭玩具菓子。
【請求項２】
前記形象物として、枯山水の石庭の前記岩を模す岩材と、前記石を模す石材と、前記砂を模す砂材とを備え、前記レーキは、前記箱庭本体に敷き詰めた砂材の表面に、砂紋を模した波形状を形成するように構成した請求項１記載の箱庭玩具菓子。
【請求項３】
前記形象物として、透過性のゼリー食材で日本庭園の池を模す池材を形成し、前記箱庭本体の底部に日本庭園の池の様子を表示した池表示部を形成し、該池表示部の上に池材を載置するように構成した請求項１記載の箱庭玩具菓子。
【考案の詳細な説明】
【技術分野】
【０００１】
本考案は、日本庭園を模した箱庭玩具を食品で形成することで、幅広い年齢層や需要者に興味を与えることができる箱庭玩具菓子に関する。
【背景技術】
【０００２】
食品で形成された玩具菓子や遊べるお菓子などと称する玩具が提案されている。特許文献１の玩具兼用お菓子は、クッキーなどの板状食品で形成されペットハウスを模したケース内に、ペットを模したチョコレートなどを収納して遊ぶ玩具である。
【０００３】
一方、日本で発展した盆栽を箱庭玩具に構成した箱庭玩具が特許文献２に記載されている。この箱庭玩具は、箱庭本体の中に木や草などを模した形象部品やカエルなどを模した形象物を配置するもので、特に、固体識別情報ＩＤや無線タグＩＣなどを用いて、カエルなどの形象物を箱庭本体の中に置くと、カエルの個体識別情報ＩＤを認識してカエルの声を模した音を出力するという構成であった。
【先行技術文献】
【特許文献】
【０００４】
【特許文献１】特開２００２-９５４１７号公報
【特許文献２】特開２００５-３４０５４号公報
【考案の概要】
【考案が解決しようとする課題】
【０００５】
特許文献１の玩具兼用お菓子は、予めクッキーなどで形成されている食用のペットハウスの中に、チョコレートなどで形成されたペットを入れて遊ぶ構成なので、遊技対象者は主に子供などの低年齢層を対象とするものであった。
【０００６】
一方、特許文献２に記載の箱庭玩具は、固体識別情報ＩＤや無線タグＩＣなどを用いて形象物に関する音を出力する構成である。そのため、この遊技対象年齢は、主に大人などの高年齢層が対象になっていた。
【０００７】
子供が砂場で遊びながら造形を学ぶことができるように、箱庭を造る遊びも、子供等に適した知的な遊びとして期待されている。しかしながら、これまでの箱庭玩具には、特許文献２のように、大人が楽しむことができるものは提供されているが、子供等が遊ぶのに適した玩具は提供されていなかった。
【０００８】
そこで本考案は、上述の課題を解消すべく案出されたもので、子供から大人に至るまで幅広い年齢層で楽しむことが可能になり、しかも、箱庭を通して日本庭園の造形美や精神を学ぶことができる箱庭玩具菓子の提供を目的とするものである。
【課題を解決するための手段】
【０００９】
上述の目的を達成すべく本考案における第１の手段は、上部が開口した箱体で形成された箱庭本体１０と、該箱庭本体１０内に載置する岩、石、砂を模した形象物２０と、砂を模した形象物２０の表面をならすレーキ３０とを備え、該形象物２０を食品素材で形成し、該形象物２０で日本庭園を模した箱庭を構成することにある。
【００１０】
第２の手段は、前記形象物２０として、枯山水の石庭の岩を模す岩材２１と、石を模す石材２２と、砂を模す砂材２３とを備え、前記レーキ３０は、前記箱庭本体１０に敷き詰めた砂材２３の表面に、砂紋２３Ａを模した波形状を形成するように構成したものである。
【００１１】
第３の手段は、前記形象物２０として、透過性のゼリー食材で日本庭園の池を模す池材２４を形成し、前記箱庭本体１０の底部に日本庭園の池の様子を表示した池表示部１１を形成し、該池表示部１１の上に池材２４を載置するように構成したものである。
【考案の効果】
【００１２】
本考案の請求項１に記載のごとく、上部が開口した箱体で形成された箱庭本体１０と、該箱庭本体１０内に載置する岩、石、砂を模した形象物２０と、砂を模した形象物２０の表面をならすレーキ３０とを備え、該形象物２０を食品素材で形成し、該形象物２０で日本庭園を模した箱庭を構成したことで、子供からから大人に至るまで幅広い年齢層で楽しむことが可能になった。
【００１３】
しかも、形象物２０で日本庭園を模した箱庭を構成することにより、日本の文化に触れることが可能になるので、海外からの観光客にとって極めて好適なお土産用の玩具にもなる。
【００１４】
請求項２のように、形象物２０として、枯山水の石庭の岩を模す岩材２１と、石を模す石材２２と、砂を模す砂材２３とを備え、箱庭本体１０に敷き詰めた砂材２３の表面に、砂紋２３Ａを模した波形状を形成するレーキ３０を備えたことで、これらの形象物２０を使用して箱庭を構成することで、日本庭園の造形美や精神を学ぶことができる。この結果、子供や大人は勿論、日本庭園の造形美や精神に興味を持った海外からの観光客などにとっても面白味のある玩具になっている。
【００１５】
請求項３のごとく、形象物２０として、日本庭園の池を模す池材２４を透過性のゼリー食材で形成し、箱庭本体１０の底部に日本庭園の池の様子を表示した池表示部１１を形成し、該池表示部１１の上に池材２４を載置するように構成したことで、食材でも現実感のある池を演出することが可能になる。この結果、日本庭園の風情をより楽しむことが可能になる。
【図面の簡単な説明】
【００１６】
【図１】本考案玩具で石庭を形成した例を示す斜視図である。
【図２】本考案玩具で使用する形象物の材料等を示す説明図である。
【図３】本考案の岩材を形成する形象物の材料を作る手順を示す説明図である。
【図４】図３に示した材料で岩材を形成する手順を示す説明図である。
【図５】本考案の砂材を箱庭本体に敷き詰める状態を示す説明図である。
【図６】本考案の岩材を箱庭本体の砂材の上に載置する手順を示す説明図である。
【図７】本考案玩具で石庭を形成する手順を示す説明図である。
【図８】本考案の池材を形成する形象物の材料等を示す斜視図である。
【図９】本考案の池材を表示部の上に載置する手順を示す説明図である。
【図１０】本考案玩具で池付きの日本庭園形成する手順を示す説明図である。
【図１１】本考案玩具で池付きの日本庭園を形成した例を示す斜視図である。
【考案を実施するための形態】
【００１７】
本考案は、形象物２０を食品素材で形成し、該形象物２０で日本庭園を模した箱庭を構成する玩具である。
【００１８】
本考案の主要構成は、上部が開口した箱体で形成された箱庭本体１０と、該箱庭本体１０中に載置する形象物２０とを備えている（図１参照）。
【００１９】
この形象物２０には、枯山水の石庭の岩を模す岩材２１と、石を模す石材２２と、砂を模す砂材２３とを備えている（図２参照）。また、この他、レーキ３０を備えることで、箱庭本体１０に敷き詰めた砂材２３の表面に、砂紋２３Ａを模した波形状を形成できるように構成している（図７参照）。これらの形象物２０を模す各材料は、材料になる食品をそのまま使用したり加工したりして形象物２０を形成する。
【００２０】
例えば、岩材２１は、粉末ラムネ等の食品を固めて使用する。この場合、まず、予め用意されている岩材２１用の粉末ラムネに水を混ぜ合わせて撹拌する（図３参照）。次に、混ぜ合わせた液状のラムネからなる岩材２１を岩トレイ２１Ａの型の中に入れ、そのまま冷蔵庫等で冷やして固め、岩状に形成する（図４参照）。
【００２１】
また、砂材２３は、粉末ラムネ等の食品をそのまま使用する（図５参照）。図示例では、箱庭本体１０に入れた砂材２３をレーキ３０の平らな部分で均等な厚みにならしている状態を示している。更に、石材２２も粒状のチョコレートをそのまま使用する（図７参照）。
【００２２】
そして、これら岩材２１、石材２２、砂材２３の形象物２０を使用して日本庭園を模した箱庭を形成する（図１参照）。図示例では、枯山水の石庭を形成する手順を示している（図６、図７参照）。
【００２３】
この枯山水は、水を使わず、石や砂利、草木などで自然を表現した庭園であり、石庭は、更に草木を取り除いて、石だけで自然を表現した庭園を構成する。そのため、石庭は、限られた形象物２０でも極めて趣向に富んだ箱庭を形成することができるものである（図１参照）。
【００２４】
しかも、石庭は、極めて限られた形象物２０で庭園を構成することが可能でありながら、禅の「侘び寂び」の精神の如く無駄がなく優美な趣や静けさを演出することが可能であると言われている。
【００２５】
この石庭を形成するには、まず、冷蔵庫で冷やして固めた岩材２１を岩トレイ２１Ａから取り出し、この岩材２１を箱庭本体１０内の砂材２３上に配置する（図６参照）。
【００２６】
次に、岩材２１を配置した砂材２３の表面に、レーキ３０で砂紋２３Ａを自由に描く（図７参照）。その後、岩材２１の周辺や任意の位置に石材２２を配置して石庭が完成する（図１参照）。
【００２７】
また、本考案で形成する箱庭は、この石庭の他、箱庭に池材２４を配置した日本庭園を構成することも可能である（図１１参照）。この場合、池材２４を形成する食品材料や部材を使用する。
【００２８】
すなわち、食品材料として、池材２４として使用する粉末状のゼリーのもとを使用する。また、このゼリーを池の形に固める池トレイ２４Ａも使用する（図８参照）。図中、符号１１は、箱庭本体１０の底部に形成した池表示部１１であり、この池表示部１１は、日本庭園の池の様子を写したものである。
【００２９】
この池トレイ２４Ａは、日本庭園の池を象った型材で、この中に池材２４を入れて透過性のゼリー状に固めたものである（図８参照）。この池材２４は、粉末状のゼリーのもとに水を混ぜ合わせ、電連子で加熱したものを池トレイ２４Ａに入れて冷蔵庫で固めたものである。そして、池トレイ２４Ａ内の固まった透過性の池材２４を取り出して、池表示部１１の上に合わせて載せる（図９参照）。
【００３０】
池表示部１１の上に載せた池材２４は透過性があるので、この池材２４を通して池表示部１１を見ると、現実感のある池のように見える。その後、この池材２４の周囲に砂材２３を敷きつめて、レーキ３０でならすと、この池材２４によって日本庭園風の池が形成される（図１０参照）。
【００３１】
最後に、池の周囲に石材２２を配置するなど、好みの形象物２０を配置し、砂材２３に砂紋２３Ａを描くと池付きの日本庭園が完成する（図１１参照）。
【００３２】
尚、本考案の構成において、各形象物２０の各材料や箱庭本体１０は図示例に限定されるものではなく、本考案の要旨を変更しない範囲で自由に設計変更することができる。
【符号の説明】
【００３３】
１０  箱庭本体
１１  池表示部
２０  形象物
２１  岩材
２１Ａ  岩トレイ
２２  石材
２３  砂材
２３Ａ  砂紋
２４  池材
２４Ａ  池トレイ
３０  レーキ
【図１】
0003223210.tif 000003
【図２】
0003223210.tif 000004
【図３】
0003223210.tif 000005
【図４】
0003223210.tif 000006
【図５】
0003223210.tif 000007
【図６】
0003223210.tif 000008
【図７】
0003223210.tif 000009
【図８】
0003223210.tif 000010
【図９】
0003223210.tif 000011
【図１０】
0003223210.tif 000012
【図１１】
0003223210.tif 000013
【手続補正書】
【提出日】令和1年7月24日(2019.7.24)
【手続補正１】
【補正対象書類名】実用新案登録請求の範囲
【補正対象項目名】請求項３
【補正方法】変更
【補正の内容】
【請求項３】
前記形象物として更に、透過性のゼリー食材で日本庭園の池を模す池材を形成し、前記箱庭本体の底部に日本庭園の池の様子を表示した池表示部を形成し、該池表示部の上に池材を載置するように構成した請求項１記載の箱庭玩具菓子。
【手続補正２】
【補正対象書類名】明細書
【補正対象項目名】００１１
【補正方法】変更
【補正の内容】
【００１１】
第３の手段は、前記形象物２０として更に、透過性のゼリー食材で日本庭園の池を模す池材２４を形成し、前記箱庭本体１０の底部に日本庭園の池の様子を表示した池表示部１１を形成し、該池表示部１１の上に池材２４を載置するように構成したものである。